(57)【要約】  ビデシャワーを備える改良型のトイレが提供される。ビデシャワーは、ヘッド及びホースを含む。トイレは、タンクと、便器開口部を有する概して細長い便器とを含む。ホースは、タンクのカバーと貯水槽との間に規定される通路を通ってタンクの後側からタンクの前側に延びる。保護パネルが、便座及び便器の一方に着脱可能に取り付けられ、便器開口部内に下方へ少なくとも部分的に延びる。有利には、便座と便座カバーとが閉位置にあってビデシャワーが使用されていないときに、便座カバーがビデシャワーのヘッドの少なくとも一部を隠す。【選択図】図１
2021526604.tif 000002
【特許請求の範囲】
【請求項１】
基部と、
タンクと、
前記基部に取り付けられた細長い便器であって、開口部を規定する細長い便器と、
第１の閉位置と第１の開位置との間で枢動するように構成された、前記基部又は前記細長い便器に枢動可能に接続された便座であって、前記第１の閉位置が、前記細長い便器上に前記便座が載置しているときに定められる、便座と、
第２の閉位置と第２の開位置との間で枢動するように構成された、前記基部又は前記タンクに枢動可能に接続された便座カバーと、
前記便座の後部に形成された凹部であって、前記凹部は、移動可能なビデシャワーを受け取るように構成され、前記移動可能なビデシャワーがホース及びシャワーヘッドを備える、凹部と、を備えるトイレ。
【請求項２】
前記便座が、前記便座の後部から延び、前記凹部を規定する第１の接続アーム及び第２の接続アームを含む、請求項１に記載のトイレ。
【請求項３】
前記タンクが、前記第１の接続アーム及び前記第２の接続アームをそれぞれ枢動可能に受け取るように構成された左側リブ及び右側リブを含み、それにより前記便座が前記第１の回転軸で枢動するように構成された、請求項２に記載のトイレ。
【請求項４】
前記便座カバーが、第２の回転軸で枢動可能に前記左側及び右側リブに接続するように構成され、前記第２の回転軸が前記第１の回転軸の上方にある、請求項３に記載のトイレ。
【請求項５】
前記便座カバーは、前記便座及び前記便座カバーがそれぞれ第１の閉位置及び第２の閉位置にあるときに前記シャワーヘッドの少なくとも一部を隠すように構成された、請求項１に記載のトイレ。
【請求項６】
前記便座又は前記細長い便器に着脱可能に取り付けられるように構成された保護仕切り板をさらに備え、前記保護仕切り板が、前記開口部で下方に延び、それにより前記シャワーヘッドが前記細長い便器の前記開口部の外側に噴霧するのを防止する、請求項１に記載のトイレ。
【請求項７】
使用していないときに前記保護仕切り板を収納するように構成された収納区室をさらに備える、請求項６に記載のトイレ。
【請求項８】
前記基部と前記細長い便器とが一体的に形成された、請求項１に記載のトイレ。
【請求項９】
前記タンクが、貯水槽、カバー、及び前記カバーと前記貯水槽との間に規定される通路を含み、前記通路は、前記ホースが自由に摺動するのを可能にする、請求項１に記載のトイレ。
【請求項１０】
前記細長い便器又は前記タンクに接続された蛇口をさらに備え、前記ビデシャワーが前記蛇口に接続される、請求項１に記載のトイレ。
【請求項１１】
前記後部は、使用者が手でビデシャワーを保持して操作できるようにする、請求項１に記載のトイレ。
【請求項１２】
前記細長い便器の前部に位置し、前記ビデシャワーに接続された２つの蛇口をさらに備え、一方の蛇口が、前記ビデシャワーの温水の流れを制御し、他方の蛇口が、前記ビデシャワーの冷水の流れを制御する、請求項１に記載のトイレ。
【発明の詳細な説明】
【技術分野】
【０００１】
発明の背景
１．発明の分野
[1]  本発明はトイレに関し、より詳細にはビデシャワーを備えるトイレに関する。
【背景技術】
【０００２】
２．先行技術の説明
[2]  現代的なトイレの登場と共に、排便及び排尿後のプライベートゾーンの衛生洗浄のために様々な手段が開発されてきた。そのような手段の例として、トイレットペーパー、ウエットワイプ及びゲルワイプ、布、並びにビデが挙げられる。
【０００３】
[3]  衛生洗浄に関する嗜好は人それぞれであるが、ビデは、一般にトイレットペーパー及び布を使用するよりもプライベートゾーンをより完全に洗浄できるので普及している。
【０００４】
[4]  一般に、ビデは、ウォータージェットを使用して性器、会陰、臀部内側、及び肛門を洗浄してきれいにするために使用され、したがってトイレットペーパーの使用の代用又は補完となる。
【０００５】
[5]  セラミック床置き型ビデ、セラミック壁取付け型ビデ、非電動便座ビデ、及び電動便座ビデなど、様々なビデシステムが開発されている。
【０００６】
[6]  一般に、ビデスプレー、ビデ噴霧器、及び健康蛇口としても知られているビデシャワーは、排便及び排尿後の肛門洗浄及び性器の洗浄のために使用される。ビデシャワーは、概して、洗浄を助けるために水の噴霧を送達するためのホースの端部に接続されるハンドヘルドトリガノズルからなる。
【０００７】
[7]  しかし、セラミックビデは、かなりの浴室空間を占めることがあり、高価であり得る。一方、電動ビデも高価であり得て、設置が難しいことがある。
【０００８】
[8]  ビデシャワーを備えるトイレは、より低コストであるが、ホースが目立ち且つ嵩張ることがあるので、必ずしも見た目が良くなく、また、ホースがもつれることがあり、衛生洗浄中に使用者に不快な姿勢を強いることがあるため、必ずしも実用的でないことがある。
【０００９】
[9]  林らによる「衛生洗浄便座デバイス」という名称の米国特許第６，８８０，１８０号に、便座と、便座カバーと、便器の後部上方周辺部に固定されたケースとを含む衛生洗浄トイレデバイスが教示されている。ケースは、便座及び便座カバーと回転可能に接続される。この衛生洗浄トイレデバイスは、少なくとも便座カバーの開閉状態を検出するためにケースの前面に提供される光学センサデバイスをさらに含む。
【００１０】
[10]  Limによる「多目的ハンドヘルド噴霧器を取り付けられたトイレシステム」という名称の米国特許第６，９４１，５９０号には、多目的ハンドヘルド噴霧器を取り付け、既存のトイレシステムに新たな機能を追加することによって衛生環境を向上させる改良型のトイレシステムが提供されることが教示されている。手動式の遮断弁を組み込む多目的ハンドヘルド噴霧器は、延長バー及びスプレー先端部を通して様々なパターンの水噴霧を送達し、この多目的ハンドヘルド噴霧器は、可撓性のホースと、流量を調整するための弁と、既存の配管器具から水を供給するためのＹ字アダプタアセンブリと、既存のトイレ固定具に取り付けられるホースハンガと、噴霧器を置くためのホルダと、洗面用具を置くホルダとをさらに採用する。新しい機能には、ガイドラインを有する追加の開口部と、噴霧器の配置を容易にするための前面領域にある埋込型の補強要素とを有する改良型の便座と、同じガイドラインを有する便器と、改良型の水タンクであって、その蓋が、ホルダを取り付けるための縁部の切欠き及び側壁の穴を有する、水タンクとが含まれる。
【００１１】
[11]  Deveerによる「衛生安全ガードと組み合わせた殺菌ビデ」という名称の米国特許第７，０５５，１８５号には、ほとんどの家庭の便器に容易に設置できる効果的な衛生デバイスが教示されている。この衛生デバイスは、高圧であり調節可能な水流と、殺菌スプレーとから構成される。組込み式の衛生安全ガードは、便器内での男性の陰茎に対する安全マージンを確保することができる。この発明は、ほとんどの家庭にある便器に容易に設置できる。また、家庭の給水設備に接続する必要もない。この発明は、トイレットペーパーを使用するのが難しいことがある子供、大人、及び年配者に発症し得る感染症を低減することができる。人間の排泄物に関連する深刻な疾患が多くあり、この発明の殺菌スプレー機能により、多くの感染症のリスクを低減することができる。また、この発明により、生活の質が高まり、清潔感も高まる。
【００１２】
[12]  したがって、使いやすく、衛生的であり、使用していないときには少なくとも部分的にビデシャワーを隠すことが可能な、ビデシャワーを備えるトイレが望まれる。
【発明の概要】
【００１３】
発明の簡単な概要
[13]  本発明の目的は、先行技術における不便さの少なくとも一部を軽減することである。本発明は、ヘッド及びホースを有するビデシャワーと、基部と、基部に取り付けられた便器と、基部の後部に取り付けられたタンクと、便座と、便座カバーとを有するトイレを提供する。このトイレは、便器開口部を有する概して細長い便器と、基部の上方に位置する回転軸周りで枢動可能に、タンクの少なくとも一部に接続された便座カバーとを備え、ホースは、タンクのカバーと貯水槽との間に規定される通路を通してタンクの後側からタンクの前側に延びる。このトイレは、便座及び便器の一方に着脱可能に取り付けられた保護パネルをさらに含むことがあり、保護パネルは、便器開口部で少なくとも部分的に下方に延び、便座は、便器及びタンクの一方に便座を枢動可能に接続する第１の接続アーム及び第２の接続アームを有することがあり、第１の接続アーム及び第２の接続アームは、ビデシャワーのヘッドを保持する人間の手を受け入れるような構造及び寸法の凹部を規定する。本発明の技術の広義の一態様は、水源に接続するためのビデシャワーと、基部と、基部に取り付けられた便器であって、便器開口部を規定する便器と、基部の後部に取り付けられたタンクと、回転軸周りで枢動可能に、便器及びタンクの一方に接続された便座とを備えるトイレを提供する。便座は、便座開口部と、便座及び便器の一方に着脱可能に取り付けられる保護パネルとを規定し、保護パネルは、便器開口部で少なくとも部分的に下方に延び、便器開口部を前方区域及び後方区域に分離する。
【００１４】
[14]  いくつかの実施形態では、ビデシャワーは、ホースと、ホースの端部に接続されたシャワーヘッドとを含み、タンクは、貯水槽と、貯水槽の上に配設されたカバーとを備え、ホースは、カバーと貯水槽との間に規定される通路を通してタンクの後側からタンクの前側に延びる。いくつかの実施形態では、便器開口部で少なくとも部分的に下方に延びる保護パネルは、略垂直壁を規定する。いくつかの実施形態では、保護パネルは、便座に着脱可能に取り付けられ、便座開口部で少なくとも部分的に下方に延びる。いくつかの実施形態では、便座は、回転軸周りで枢動可能に、便器及びタンクの一方に便座を接続する第１の接続アーム及び第２の接続アームを備え、第１の接続アーム及び第２の接続アームは、ビデシャワーのヘッドを保持する人間の手を受け入れるような構造及び寸法の凹部を規定し、凹部は、便座が閉位置にあるとき、少なくとも部分的に便器開口部に位置合わせされる。いくつかの実施形態では、タンクは、タンクの片側に位置する第１のリブと、タンクの別の側に位置する第２のリブとを備え、第１の接続アーム及び第２の接続アームが、回転軸周りで枢動可能に、それぞれ第１のリブ及び第２のリブに接続される。いくつかの実施形態では、上記回転軸は、第１の回転軸であり、トイレは、便座の上に選択的に配設される便座カバーをさらに備え、便座カバーは、第２の回転軸周りで枢動可能に、第１のリブ及び第２のリブに接続され、第２の回転軸は、便座の第１の回転軸の上方に位置する。いくつかの実施形態では、便座及び便座カバーが閉位置にあり、ビデシャワーが使用されていないとき、便座カバーは、ビデシャワーのヘッドの少なくとも一部を隠す。いくつかの実施形態では、便座の凹部は、保護パネルが便座及び便器の一方に取り付けられていないときに保護パネルを受け取るような構造及び寸法である。いくつかの実施形態では、便器と基部とが一体的に形成されている。いくつかの実施形態では、便器は、長手方向軸に沿って概して細長い。いくつかの実施形態では、トイレは、便器及びタンクの一方に接続された蛇口をさらに備え、ビデシャワーがこの蛇口に接続される。
【００１５】
[15]  本発明の技術の広義の第２の態様は、水源に接続するためのビデシャワーであって、ホース、及びホースの端部に接続されたシャワーヘッドを含むビデシャワーと、基部と、基部に取り付けられた便器であって、便器開口部を規定する便器と、基部の後部に取り付けられたタンクであって、貯水槽、及び貯水槽の上に配設されたカバーを含むタンクと、回転軸周りで枢動可能に、便器及びタンクの一方に接続された便座であって、便座開口部を規定する便座とを備えるトイレであって、ホースが、カバーと貯水槽との間に規定される通路を通してタンクの後側からタンクの前側に延びる、トイレを提供する。
【００１６】
[16]  いくつかの実施形態では、トイレは、便座及び便器の一方に着脱可能に取り付けられる保護パネルをさらに備え、保護パネルは、便器開口部で少なくとも部分的に下方に延び、便器開口部を前方区域及び後方区域に分離する。いくつかの実施形態では、便器開口部で少なくとも部分的に下方に延びる保護パネルは、略垂直壁を規定する。いくつかの実施形態では、保護パネルは、便座に着脱可能に取り付けられ、便座開口部で少なくとも部分的に下方に延びる。いくつかの実施形態では、便座は、回転軸周りで枢動可能に、便器及びタンクの一方に便座を接続する第１の接続アーム及び第２の接続アームを備え、第１の接続アーム及び第２の接続アームは、ビデシャワーのヘッドを保持する人間の手を受け入れるような構造及び寸法の凹部を規定し、凹部は、便座が閉位置にあるとき、少なくとも部分的に便器開口部に位置合わせされる。いくつかの実施形態では、タンクは、タンクの片側に位置する第１のリブと、タンクの別の側に位置する第２のリブとを備える。いくつかの実施形態では、上記回転軸は第１の回転軸であり、トイレは、便座の上に選択的に配設される便座カバーをさらに備え、便座カバーは、第２の回転軸周りで枢動可能に、第１のリブ及び第２のリブに接続され、第２の回転軸は、便座の第１の回転軸の上方に位置する。いくつかの実施形態では、便座及び便座カバーが閉位置にあり、ビデシャワーが使用されていないとき、便座カバーは、ビデシャワーのヘッドの少なくとも一部を隠す。いくつかの実施形態では、便座の凹部は、保護パネルが便座及び便器の一方に取り付けられていないときに保護パネルを受け取るような構造及び寸法である。いくつかの実施形態では、便器と基部とが一体的に形成されている。いくつかの実施形態では、便器は、長手方向軸に沿って概して細長い。いくつかの実施形態では、トイレは、便器及びタンクの一方に接続された蛇口をさらに備え、ビデシャワーがこの蛇口に接続される。
【００１７】
[17]  本発明の技術の広義の第３の態様は、水源に接続するためのビデシャワーと、基部と、基部に取り付けられた便器であって、便器開口部を規定する便器と、基部の後部に取り付けられたタンクと、回転軸周りで枢動可能に、便器及びタンクの一方に接続された便座とを備えるトイレであって、便座が、便座開口部を規定し、便座が、回転軸周りで枢動可能に、便器及びタンクの一方に便座を接続する第１の接続アーム及び第２の接続アームを備え、第１の接続アーム及び第２の接続アームが、ビデシャワーのヘッドを保持する人間の手を受け入れるような構造及び寸法の凹部を規定し、凹部が、便座が閉位置にあるときに少なくとも部分的に便器開口部に位置合わせされ、第１の接続アーム及び第２の接続アームが、回転軸周りで枢動可能に、それぞれ第１のリブ及び第２のリブに接続される、トイレを提供する。
【００１８】
[18]  いくつかの実施形態では、ビデシャワーは、ホースと、ホースの端部に接続されたシャワーヘッドとを含み、タンクは、貯水槽と、貯水槽の上に配設されたカバーとを備え、ホースは、カバーと貯水槽との間に規定される通路を通してタンクの後側からタンクの前側に延びる。いくつかの実施形態では、トイレは、便座及び便器の一方に着脱可能に取り付けられる保護パネルをさらに備え、保護パネルは、便器開口部で少なくとも部分的に下方に延び、便器開口部を前方区域及び後方区域に分離する。いくつかの実施形態では、便器開口部で少なくとも部分的に下方に延びる保護パネルは、略垂直壁を規定する。いくつかの実施形態では、保護パネルは、便座に着脱可能に取り付けられ、便座開口部で少なくとも部分的に下方に延びる。いくつかの実施形態では、タンクは、タンクの片側に位置する第１のリブと、タンクの別の側に位置する第２のリブとを備え、第１の接続アーム及び第２の接続アームが、回転軸周りで枢動可能に、それぞれ第１のリブ及び第２のリブに接続される。いくつかの実施形態では、上記回転軸は、第１の回転軸であり、トイレは、便座の上に選択的に配設される便座カバーをさらに備え、便座カバーは、第２の回転軸周りで枢動可能に、第１のリブ及び第２のリブに接続され、第２の回転軸は、便座の第１の回転軸の上方に位置する。いくつかの実施形態では、便座及び便座カバーが閉位置にあり、ビデシャワーが使用されていないとき、便座カバーは、ビデシャワーのヘッドの少なくとも一部を隠す。いくつかの実施形態では、便座の凹部は、保護パネルが便座及び便器の一方に取り付けられていないときに保護パネルを受け取るような構造及び寸法である。いくつかの実施形態では、便器と基部とが一体的に形成されている。いくつかの実施形態では、便器は、長手方向軸に沿って概して細長い。いくつかの実施形態では、トイレは、便器及びタンクの一方に接続された蛇口をさらに備え、ビデシャワーがこの蛇口に接続される。いくつかの実施形態では、細長い便器の前部に位置し、ビデシャワーに接続された２つの蛇口があり、一方の蛇口が、ビデシャワーの温水の流れを制御し、他方の蛇口が、ビデシャワーの冷水の流れを制御する。
【００１９】
[19]  本発明の実施形態の追加及び／又は代替の目的、特徴、及び利点は、以下の説明、添付図面、及び添付の特許請求の範囲から明らかになろう。
【００２０】
図面の各図の簡単な説明
[20]  本発明の他の特徴及び利点は、以下の詳細な説明を添付図面と併せて読めば明らかになろう。
【図面の簡単な説明】
【００２１】
【図１】[21]本発明の一実施形態による、ビデシャワーを備えるトイレの斜視図である。
【図２】[22]本発明の一実施形態による、ビデシャワーを備えるトイレの右側面図である。
【図３】[23]本発明の一実施形態による、使用時のビデシャワーを備えるトイレの左側切欠図である。
【図４Ａ】[24]本発明の一実施形態による、トイレの収納区室の上面図である。
【図４Ｂ】[24]本発明の一実施形態による、トイレの収納区室の正面図である。
【発明を実施するための形態】
【００２２】
好ましい実施形態の詳細な説明
[25]  以下の説明は、当業者が本発明を作製して使用できるようにするために提供され、本発明者によって企図される本発明を実施する最良の形態を記載する。しかし、本明細書では特にビデシャワーを備えるトイレを提供するために本発明の全般的な原理を定義しているので、当業者には様々な変形形態が容易に明らかであろう。
【００２３】
[26]  ここで図１〜図４を参照すると、ビデシャワー２２を備えるトイレ１０が示されている。一実施形態では、このトイレは、基部１２、便器１４、タンク１６、便座１８、便座カバー２０、及びビデシャワー２２を備える。一実施形態では、ビデシャワー２２は、ホース２４と、ホースの端部に接続されたヘッド２６とを含む。当技術分野でよく知られているように、基部は、床の上に直接位置決めされ、取付けナットによって床に固定される。一実施形態では、便器１４と基部１２とが一体的に形成されている。好ましくは、便器１４は、先行技術の便器よりも、長手方向軸に沿って概して細長い。これについては、以下でより詳細に説明する。
【００２４】
[27]  一実施形態では、便器１４の後部は、ビデシャワー２２のヘッド２６を保持する使用者３６の手３４が便座１８の凹部３８に入ることを可能にする。これについては、以下でより詳細に説明する。
【００２５】
[28]  一実施形態では、タンク１６は、カバー４４、左側リブ４６、及び右側リブ４８を含む。タンクは、基部１２の後部に取り付けられる。一実施形態では、左側リブ４６は、タンク１６の左側に位置決めされ、便器１４に向けて延びている。同様に、右側リブ４８は、タンクの右側に位置決めされ、便器１４に向けて延びている。左側リブ４６は右側リブ４８に平行であり、ビデシャワー２２のヘッド２６及びホース２４が左側リブ４６と右側リブ４８との間に少なくとも部分的に収まるように、凹曲線を規定する。有利には、便座カバーが開位置にあるとき、凹曲線は、便座カバー２０が少なくとも部分的に左右のリブ４６、４８の間に収まることを可能にする。
【００２６】
[29]  いくつかの実施形態では、ビデシャワー２２が便座２０の上げ下ろしを妨げることがないように、ビデシャワー２２が置かれる凹曲線内でタンク１６の前側にタンク凹部５０がある。さらに、この構成は、便座２０が閉位置にあるときにビデシャワーを隠す。
【００２７】
[30]  予想されるように、便座カバー２０は、開位置から閉位置に枢動することを可能にされる。そうするために、左側リブ４６は左側便座カバーアパーチャ（図示せず）を有し、右側リブ４８は右側便座カバーアパーチャ（図示せず）を有し、両方のアパーチャが第１の回転軸周りにあり、便座カバー２０から一体的に延びるピン（図示せず）がアパーチャに係合することができ、便座カバー２０が開位置と閉位置との間で枢動できるようにする。
【００２８】
[31]  図３で最も良く見ることができるように、ビデシャワー２２のホース２４は、タンクカバー４４とタンク１６との間に位置する通路５６を通ってタンク１６の後側からタンク１６の前側に延びる。いくつかの実施形態では、通路５６を形成するために、タンクの左側及び右側に位置するスペーサによってカバー４４をタンク１６の上に配設することができる。有利には、ホース２４は通路５６内で自由に摺動することを可能にされ、使用者３６がビデシャワー２２を使用できるようにする。具体的には、凹部３８に置かれた後退位置から、図３に示される使用位置にシャワーヘッド２６を移動することによって使用できる。概して、タンク１６の後方のホース２４の重量が、使用していないときにビデシャワー２２を凹部３８内に引き戻すのに役立つ。
【００２９】
[32]  一実施形態では、便座１８は、便座開口部５８、第１の接続アーム６０、及び第２の接続アーム６２を含み、これらの接続アームは、便座１８をタンク１６に枢動可能に接続するためのものである。
【００３０】
[33]  前述したように、便器１４は、先行技術によるトイレよりも細長い。例えば、便器１４は、先行技術による標準的な便座と比較して約６インチ（１５ｃｍ）長く、これにより、使用者は便座１８の前方寄りに座ることができ、使用者３６が手３４でビデシャワー２２を握って使用するためのスペースを確保できる。
【００３１】
[34]  一実施形態では、ビデシャワー２２の流れは、便器１４の前部に位置して温水及び冷水の流れを制御する２つの蛇口７６によって制御される。蛇口の位置は、利便性や使いやすさに基づいて変えることができることを理解されたい。
【００３２】
[35]  いくつかの実施形態では、１対のフラップドア８８が設けられ、収納区室９２として機能するトイレ１０の底部後方の一部を形成する。各フラップ８８は、トイレ１０の後方の壁に機械的に固定することができる背面パネル９０に取り付けられる。別の機能は、より清掃しやすくし、したがってより衛生的になるように、基部１２の後部を簡素化することである。
【００３３】
[36]  一実施形態では、有利には保護仕切り板７８が設けられ、この保護仕切り板は便器１４内に嵌まり、ビデシャワーが便器の外に噴霧するのを防止すると共に、使用者３６に噴霧される水の量を制限する。
【００３４】
[37]  ここで、最良の使用形態を述べる。まず、便座カバー２０が閉位置にあると仮定して、使用者３６が便座カバー２０を開位置に持ち上げる。次に、当技術分野でよく知られているように、使用者３６は便座１８に座り、便器開口部２８を通して便器レセプタクル３０に排便する。次に、使用者３６は、パネルに収納されている保護仕切り板７８を取り出し、便器１４に取り付ける。次いで、使用者３６は、ビデシャワー２２を手３４で掴み、凹部３８を通して便座１８の下に通す。次いで、使用者３６は、便器１４の前部に位置する冷水及び温水蛇口７６を作動させ、それにより水がヘッド２６から流れ、使用者３６は、水の噴霧を臀部内側及び肛門に向ける。有利には、保護仕切り板７８は、水の噴霧、並びに便器レセプタクル３０からの水及び排泄物の跳ねから使用者３６のプライベートゾーンを少なくとも部分的に保護する。次に、使用者３６は、ビデシャワー２２のヘッド２６を基部１２の後部、且つ便座カバー２０の第１の回転軸の後方に再び置く。次に、当技術分野でよく知られているように、使用者３６は、洗浄した身体部位を乾燥させる。任意選択で、使用者３６は保護仕切り板７８を取り外して掃除し、凹部区室６６に収納することができる。最後に、使用者は、便座カバー２０を閉位置にする。
【００３５】
[38]  本発明について、構造的特徴に特有の用語でかなり詳細に述べてきたが、添付の特許請求の範囲で定義された本発明が、上述した具体的な特徴に必ずしも限定されないことを理解すべきである。それらの具体的な特徴は、特許請求される本発明を実施する例示的な好ましい形態として開示されている。別の言い方をすれば、本明細書及び要約書で採用される表現及び専門用語は、説明の目的のものであり、限定と見なすべきではないことを理解すべきである。したがって、本発明の例示的実施形態を述べてきたが、多くの変形形態及び代替実施形態が当業者には想起されよう。本発明の精神及び範囲から逸脱することなく、そのような変形形態及び代替実施形態が企図され、それらを実現することができる。
【００３６】
[39]  さらに、本開示全体を通して、左、右、前、後、上部、底部、前方、後方、時計回り、反時計回り、上、下などの標示、又は上方、下方、後、前、鉛直、水平、斜め、近位、遠位、平行、垂直、横方向、長手方向などの他の同様の用語は、便宜上使用されているに過ぎず、特定の固定された方向又は向きを示唆するものではないことにも留意すべきである。そうではなく、それらの用語は、物体の様々な部分間の相対的な位置及び／又は方向／向きを表すために使用されている。
【００３７】
[40]  さらに、本開示を通して（特に特許請求の範囲において）、「第１の」、「第２の」、「第３の」、以下同様の部材は、連続的又は数値的な限定を示すために使用されるのではなく、そのグループの様々な部材を区別又は識別するために使用される。
【図１】
2021526604.tif 000003
【図２】
2021526604.tif 000004
【図３】
2021526604.tif 000005
【図４Ａ】
2021526604.tif 000006
【図４Ｂ】
2021526604.tif 000007
【手続補正書】
【提出日】令和1年11月4日(2019.11.4)
【手続補正１】
【補正対象書類名】明細書
【補正対象項目名】全文
【補正方法】変更
【補正の内容】
【発明の詳細な説明】
【技術分野】
【０００１】
発明の背景
１．発明の分野
[1]  本発明はトイレに関し、より詳細にはビデシャワーを備えるトイレに関する。
【背景技術】
【０００２】
２．先行技術の説明
[2]  現代的なトイレの登場と共に、排便及び排尿後のプライベートゾーンの衛生洗浄のために様々な手段が開発されてきた。そのような手段の例として、トイレットペーパー、ウエットワイプ及びゲルワイプ、布、並びにビデが挙げられる。
【０００３】
[3]  衛生洗浄に関する嗜好は人それぞれであるが、ビデは、一般にトイレットペーパー及び布を使用するよりもプライベートゾーンをより完全に洗浄できるので普及している。
【０００４】
[4]  一般に、ビデは、ウォータージェットを使用して性器、会陰、臀部内側、及び肛門を洗浄してきれいにするために使用され、したがってトイレットペーパーの使用の代用又は補完となる。
【０００５】
[5]  セラミック床置き型ビデ、セラミック壁取付け型ビデ、非電動便座ビデ、及び電動便座ビデなど、様々なビデシステムが開発されている。
【０００６】
[6]  一般に、ビデスプレー、ビデ噴霧器、及び健康蛇口としても知られているビデシャワーは、排便及び排尿後の肛門洗浄及び性器の洗浄のために使用される。ビデシャワーは、概して、洗浄を助けるために水の噴霧を送達するためのホースの端部に接続されるハンドヘルドトリガノズルからなる。
【０００７】
[7]  しかし、セラミックビデは、かなりの浴室空間を占めることがあり、高価であり得る。一方、電動ビデも高価であり得て、設置が難しいことがある。
【０００８】
[8]  ビデシャワーを備えるトイレは、より低コストであるが、ホースが目立ち且つ嵩張ることがあるので、必ずしも見た目が良くなく、また、ホースがもつれることがあり、衛生洗浄中に使用者に不快な姿勢を強いることがあるため、必ずしも実用的でないことがある。
【０００９】
[9]  林らによる「衛生洗浄便座デバイス」という名称の米国特許第６，８８０，１８０号に、便座と、便座カバーと、便器の後部上方周辺部に固定されたケースとを含む衛生洗浄トイレデバイスが教示されている。ケースは、便座及び便座カバーと回転可能に接続される。この衛生洗浄トイレデバイスは、少なくとも便座カバーの開閉状態を検出するためにケースの前面に提供される光学センサデバイスをさらに含む。
【００１０】
[10]  Limによる「多目的ハンドヘルド噴霧器を取り付けられたトイレシステム」という名称の米国特許第６，９４１，５９０号には、多目的ハンドヘルド噴霧器を取り付け、既存のトイレシステムに新たな機能を追加することによって衛生環境を向上させる改良型のトイレシステムが提供されることが教示されている。手動式の遮断弁を組み込む多目的ハンドヘルド噴霧器は、延長バー及びスプレー先端部を通して様々なパターンの水噴霧を送達し、この多目的ハンドヘルド噴霧器は、可撓性のホースと、流量を調整するための弁と、既存の配管器具から水を供給するためのＹ字アダプタアセンブリと、既存のトイレ固定具に取り付けられるホースハンガと、噴霧器を置くためのホルダと、洗面用具を置くホルダとをさらに採用する。新しい機能には、ガイドラインを有する追加の開口部と、噴霧器の配置を容易にするための前面領域にある埋込型の補強要素とを有する改良型の便座と、同じガイドラインを有する便器と、改良型の水タンクであって、その蓋が、ホルダを取り付けるための縁部の切欠き及び側壁の穴を有する、水タンクとが含まれる。
【００１１】
[11]  Deveerによる「衛生安全ガードと組み合わせた殺菌ビデ」という名称の米国特許第７，０５５，１８５号には、ほとんどの家庭の便器に容易に設置できる効果的な衛生デバイスが教示されている。この衛生デバイスは、高圧であり調節可能な水流と、殺菌スプレーとから構成される。組込み式の衛生安全ガードは、便器内での男性の陰茎に対する安全マージンを確保することができる。この発明は、ほとんどの家庭にある便器に容易に設置できる。また、家庭の給水設備に接続する必要もない。この発明は、トイレットペーパーを使用するのが難しいことがある子供、大人、及び年配者に発症し得る感染症を低減することができる。人間の排泄物に関連する深刻な疾患が多くあり、この発明の殺菌スプレー機能により、多くの感染症のリスクを低減することができる。また、この発明により、生活の質が高まり、清潔感も高まる。
【００１２】
[12]  したがって、使いやすく、衛生的であり、使用していないときには少なくとも部分的にビデシャワーを隠すことが可能な、ビデシャワーを備えるトイレが望まれる。
【発明の概要】
【００１３】
発明の簡単な概要
[13]  本発明の目的は、先行技術における不便さの少なくとも一部を軽減することである。本発明は、ヘッド及びホースを有するビデシャワーと、基部と、基部に取り付けられた便器と、基部の後部に取り付けられたタンクと、便座と、便座カバーとを有するトイレを提供する。このトイレは、便器開口部を有する概して細長い便器と、基部の上方に位置する回転軸周りで枢動可能に、タンクの少なくとも一部に接続された便座カバーとを備え、ホースは、カバーとタンクとの間に規定される通路を通してタンクの後側からタンクの前側に延びる。このトイレは、便座及び便器の一方に着脱可能に取り付けられた保護パネルをさらに含むことがあり、保護パネルは、便器開口部で少なくとも部分的に下方に延び、便座は、便器及びタンクの一方に便座を枢動可能に接続する第１の接続アーム及び第２の接続アームを有することがあり、第１の接続アーム及び第２の接続アームは、ビデシャワーのヘッドを保持する人間の手を受け入れるような構造及び寸法の凹部を規定する。本発明の技術の広義の一態様は、水源に接続するためのビデシャワーと、基部と、基部に取り付けられた便器であって、便器開口部を規定する便器と、基部の後部に取り付けられたタンクと、回転軸周りで枢動可能に、便器及びタンクの一方に接続された便座とを備えるトイレを提供する。便座は、便座開口部と、便座及び便器の一方に着脱可能に取り付けられる保護パネルとを規定し、保護パネルは、便器開口部で少なくとも部分的に下方に延び、便器開口部を前方区域及び後方区域に分離する。
【００１４】
[14]  いくつかの実施形態では、ビデシャワーは、ホースと、ホースの端部に接続されたシャワーヘッドとを含み、タンクは、タンクの上に配設されたカバーを備え、ホースは、カバーとタンクとの間に規定される通路を通してタンクの後側からタンクの前側に延びる。いくつかの実施形態では、便器開口部で少なくとも部分的に下方に延びる保護パネルは、略垂直壁を規定する。いくつかの実施形態では、保護パネルは、便座に着脱可能に取り付けられ、便座開口部で少なくとも部分的に下方に延びる。いくつかの実施形態では、便座は、回転軸周りで枢動可能に、便器及びタンクの一方に便座を接続する第１の接続アーム及び第２の接続アームを備え、第１の接続アーム及び第２の接続アームは、ビデシャワーのヘッドを保持する人間の手を受け入れるような構造及び寸法の凹部を規定し、凹部は、便座が閉位置にあるとき、少なくとも部分的に便器開口部に位置合わせされる。いくつかの実施形態では、タンクは、タンクの片側に位置する第１のリブと、タンクの別の側に位置する第２のリブとを備え、第１の接続アーム及び第２の接続アームが、回転軸周りで枢動可能に、それぞれ第１のリブ及び第２のリブに接続される。いくつかの実施形態では、上記回転軸は、第１の回転軸であり、トイレは、便座の上に選択的に配設される便座カバーをさらに備え、便座カバーは、第２の回転軸周りで枢動可能に、第１のリブ及び第２のリブに接続され、第２の回転軸は、便座の第１の回転軸の上方に位置する。いくつかの実施形態では、便座及び便座カバーが閉位置にあり、ビデシャワーが使用されていないとき、便座カバーは、ビデシャワーのヘッドの少なくとも一部を隠す。いくつかの実施形態では、便座の凹部は、保護パネルが便座及び便器の一方に取り付けられていないときに保護パネルを受け取るような構造及び寸法である。いくつかの実施形態では、便器と基部とが一体的に形成されている。いくつかの実施形態では、便器は、長手方向軸に沿って概して細長い。いくつかの実施形態では、トイレは、便器及びタンクの一方に接続された蛇口をさらに備え、ビデシャワーがこの蛇口に接続される。
【００１５】
[15]  本発明の技術の広義の第２の態様は、水源に接続するためのビデシャワーであって、ホース、及びホースの端部に接続されたシャワーヘッドを含むビデシャワーと、基部と、基部に取り付けられた便器であって、便器開口部を規定する便器と、基部の後部に取り付けられたタンクであって、タンクの上に配設されたカバーを含むタンクと、回転軸周りで枢動可能に、便器及びタンクの一方に接続された便座であって、便座開口部を規定する便座とを備えるトイレであって、ホースが、カバーとタンクとの間に規定される通路を通してタンクの後側からタンクの前側に延びる、トイレを提供する。
【００１６】
[16]  いくつかの実施形態では、トイレは、便座及び便器の一方に着脱可能に取り付けられる保護パネルをさらに備え、保護パネルは、便器開口部で少なくとも部分的に下方に延び、便器開口部を前方区域及び後方区域に分離する。いくつかの実施形態では、便器開口部で少なくとも部分的に下方に延びる保護パネルは、略垂直壁を規定する。いくつかの実施形態では、保護パネルは、便座に着脱可能に取り付けられ、便座開口部で少なくとも部分的に下方に延びる。いくつかの実施形態では、便座は、回転軸周りで枢動可能に、便器及びタンクの一方に便座を接続する第１の接続アーム及び第２の接続アームを備え、第１の接続アーム及び第２の接続アームは、ビデシャワーのヘッドを保持する人間の手を受け入れるような構造及び寸法の凹部を規定し、凹部は、便座が閉位置にあるとき、少なくとも部分的に便器開口部に位置合わせされる。いくつかの実施形態では、タンクは、タンクの片側に位置する第１のリブと、タンクの別の側に位置する第２のリブとを備える。いくつかの実施形態では、上記回転軸は第１の回転軸であり、トイレは、便座の上に選択的に配設される便座カバーをさらに備え、便座カバーは、第２の回転軸周りで枢動可能に、第１のリブ及び第２のリブに接続され、第２の回転軸は、便座の第１の回転軸の上方に位置する。いくつかの実施形態では、便座及び便座カバーが閉位置にあり、ビデシャワーが使用されていないとき、便座カバーは、ビデシャワーのヘッドの少なくとも一部を隠す。いくつかの実施形態では、便座の凹部は、保護パネルが便座及び便器の一方に取り付けられていないときに保護パネルを受け取るような構造及び寸法である。いくつかの実施形態では、便器と基部とが一体的に形成されている。いくつかの実施形態では、便器は、長手方向軸に沿って概して細長い。いくつかの実施形態では、トイレは、便器及びタンクの一方に接続された蛇口をさらに備え、ビデシャワーがこの蛇口に接続される。
【００１７】
[17]  本発明の技術の広義の第３の態様は、水源に接続するためのビデシャワーと、基部と、基部に取り付けられた便器であって、便器開口部を規定する便器と、基部の後部に取り付けられたタンクと、回転軸周りで枢動可能に、便器及びタンクの一方に接続された便座とを備えるトイレであって、便座が、便座開口部を規定し、便座が、回転軸周りで枢動可能に、便器及びタンクの一方に便座を接続する第１の接続アーム及び第２の接続アームを備え、第１の接続アーム及び第２の接続アームが、ビデシャワーのヘッドを保持する人間の手を受け入れるような構造及び寸法の凹部を規定し、凹部が、便座が閉位置にあるときに少なくとも部分的に便器開口部に位置合わせされ、第１の接続アーム及び第２の接続アームが、回転軸周りで枢動可能に、それぞれ第１のリブ及び第２のリブに接続される、トイレを提供する。
【００１８】
[18]  いくつかの実施形態では、ビデシャワーは、ホースと、ホースの端部に接続されたシャワーヘッドとを含み、タンクは、タンクと、タンクの上に配設されたカバーとを備え、ホースは、カバーとタンクとの間に規定される通路を通してタンクの後側からタンクの前側に延びる。いくつかの実施形態では、トイレは、便座及び便器の一方に着脱可能に取り付けられる保護パネルをさらに備え、保護パネルは、便器開口部で少なくとも部分的に下方に延び、便器開口部を前方区域及び後方区域に分離する。いくつかの実施形態では、便器開口部で少なくとも部分的に下方に延びる保護パネルは、略垂直壁を規定する。いくつかの実施形態では、保護パネルは、便座に着脱可能に取り付けられ、便座開口部で少なくとも部分的に下方に延びる。いくつかの実施形態では、タンクは、タンクの片側に位置する第１のリブと、タンクの別の側に位置する第２のリブとを備え、第１の接続アーム及び第２の接続アームが、回転軸周りで枢動可能に、それぞれ第１のリブ及び第２のリブに接続される。いくつかの実施形態では、上記回転軸は、第１の回転軸であり、トイレは、便座の上に選択的に配設される便座カバーをさらに備え、便座カバーは、第２の回転軸周りで枢動可能に、第１のリブ及び第２のリブに接続され、第２の回転軸は、便座の第１の回転軸の上方に位置する。いくつかの実施形態では、便座及び便座カバーが閉位置にあり、ビデシャワーが使用されていないとき、便座カバーは、ビデシャワーのヘッドの少なくとも一部を隠す。いくつかの実施形態では、便座の凹部は、保護パネルが便座及び便器の一方に取り付けられていないときに保護パネルを受け取るような構造及び寸法である。いくつかの実施形態では、便器と基部とが一体的に形成されている。いくつかの実施形態では、便器は、長手方向軸に沿って概して細長い。いくつかの実施形態では、トイレは、便器及びタンクの一方に接続された蛇口をさらに備え、ビデシャワーがこの蛇口に接続される。いくつかの実施形態では、細長い便器の前部に位置し、ビデシャワーに接続された２つの蛇口があり、一方の蛇口が、ビデシャワーの温水の流れを制御し、他方の蛇口が、ビデシャワーの冷水の流れを制御する。
【００１９】
[19]  本発明の実施形態の追加及び／又は代替の目的、特徴、及び利点は、以下の説明、添付図面、及び添付の特許請求の範囲から明らかになろう。
【００２０】
図面の各図の簡単な説明
[20]  本発明の他の特徴及び利点は、以下の詳細な説明を添付図面と併せて読めば明らかになろう。
【図面の簡単な説明】
【００２１】
【図１】[21]本発明の一実施形態による、ビデシャワーを備えるトイレの斜視図である。
【図２】[22]本発明の一実施形態による、ビデシャワーを備えるトイレの右側面図である。
【図３】[23]本発明の一実施形態による、使用時のビデシャワーを備えるトイレの左側切欠図である。
【図４Ａ】[24]本発明の一実施形態による、トイレの収納区室の上面図である。
【図４Ｂ】[24]本発明の一実施形態による、トイレの収納区室の正面図である。
【発明を実施するための形態】
【００２２】
好ましい実施形態の詳細な説明
[25]  以下の説明は、当業者が本発明を作製して使用できるようにするために提供され、本発明者によって企図される本発明を実施する最良の形態を記載する。しかし、本明細書では特にビデシャワーを備えるトイレを提供するために本発明の全般的な原理を定義しているので、当業者には様々な変形形態が容易に明らかであろう。
【００２３】
[26]  ここで図１〜図４を参照すると、ビデシャワー２２を備えるトイレ１０が示されている。一実施形態では、このトイレは、基部１２、便器１４、タンク１６、便座１８、便座カバー２０、及びビデシャワー２２を備える。一実施形態では、ビデシャワー２２は、ホース２４と、ホースの端部に接続されたヘッド２６とを含む。当技術分野でよく知られているように、基部は、床の上に直接位置決めされ、取付けナットによって床に固定される。一実施形態では、便器１４と基部１２とが一体的に形成されている。好ましくは、便器１４は、先行技術の便器よりも、長手方向軸に沿って概して細長い。これについては、以下でより詳細に説明する。
【００２４】
[27]  一実施形態では、便器１４の後部は、ビデシャワー２２のヘッド２６を保持する使用者３６の手３４が便座１８の凹部３８に入ることを可能にする。これについては、以下でより詳細に説明する。
【００２５】
[28]  一実施形態では、タンク１６は、カバー４４、左側リブ４６、及び右側リブ４８を含む。タンクは、基部１２の後部に取り付けられる。一実施形態では、左側リブ４６は、タンク１６の左側に位置決めされ、便器１４に向けて延びている。同様に、右側リブ４８は、タンクの右側に位置決めされ、便器１４に向けて延びている。左側リブ４６は右側リブ４８に平行であり、ビデシャワー２２のヘッド２６及びホース２４が左側リブ４６と右側リブ４８との間に少なくとも部分的に収まるように、凹曲線を規定する。有利には、便座カバーが開位置にあるとき、凹曲線は、便座カバー２０が少なくとも部分的に左右のリブ４６、４８の間に収まることを可能にする。
【００２６】
[29]  いくつかの実施形態では、ビデシャワー２２が便座２０の上げ下ろしを妨げることがないように、ビデシャワー２２が置かれる凹曲線内でタンク１６の前側にタンク凹部５０がある。さらに、この構成は、便座２０が閉位置にあるときにビデシャワーを隠す。
【００２７】
[30]  予想されるように、便座カバー２０は、開位置から閉位置に枢動することを可能にされる。そうするために、左側リブ４６は左側便座カバーアパーチャ（図示せず）を有し、右側リブ４８は右側便座カバーアパーチャ（図示せず）を有し、両方のアパーチャが第１の回転軸周りにあり、便座カバー２０から一体的に延びるピン（図示せず）がアパーチャに係合することができ、便座カバー２０が開位置と閉位置との間で枢動できるようにする。
【００２８】
[31]  図３で最も良く見ることができるように、ビデシャワー２２のホース２４は、タンクカバー４４とタンク１６との間に位置する通路５６を通ってタンク１６の後側からタンク１６の前側に延びる。いくつかの実施形態では、通路５６を形成するために、タンクの左側及び右側に位置するスペーサによってカバー４４をタンク１６の上に配設することができる。有利には、ホース２４は通路５６内で自由に摺動することを可能にされ、使用者３６がビデシャワー２２を使用できるようにする。具体的には、凹部３８に置かれた後退位置から、図３に示される使用位置にシャワーヘッド２６を移動することによって使用できる。概して、タンク１６の後方のホース２４の重量が、使用していないときにビデシャワー２２を凹部３８内に引き戻すのに役立つ。
【００２９】
[32]  一実施形態では、便座１８は、便座開口部５８、第１の接続アーム６０、及び第２の接続アーム６２を含み、これらの接続アームは、便座１８をタンク１６に枢動可能に接続するためのものである。
【００３０】
[33]  前述したように、便器１４は、先行技術によるトイレよりも細長い。例えば、便器１４は、先行技術による標準的な便座と比較して約６インチ（１５ｃｍ）長く、これにより、使用者は便座１８の前方寄りに座ることができ、使用者３６が手３４でビデシャワー２２を握って使用するためのスペースを確保できる。
【００３１】
[34]  一実施形態では、ビデシャワー２２の流れは、便器１４の前部に位置して温水及び冷水の流れを制御する２つの蛇口７６によって制御される。蛇口の位置は、利便性や使いやすさに基づいて変えることができることを理解されたい。
【００３２】
[35]  いくつかの実施形態では、１対のフラップドア８８が設けられ、収納区室９２として機能するトイレ１０の底部後方の一部を形成する。各フラップ８８は、トイレ１０の後方の壁に機械的に固定することができる背面パネル９０に取り付けられる。別の機能は、より清掃しやすくし、したがってより衛生的になるように、基部１２の後部を簡素化することである。
【００３３】
[36]  一実施形態では、有利には保護仕切り板７８が設けられ、この保護仕切り板は便器１４内に嵌まり、ビデシャワーが便器の外に噴霧するのを防止すると共に、使用者３６に噴霧される水の量を制限する。
【００３４】
[37]  ここで、最良の使用形態を述べる。まず、便座カバー２０が閉位置にあると仮定して、使用者３６が便座カバー２０を開位置に持ち上げる。次に、当技術分野でよく知られているように、使用者３６は便座１８に座り、便器開口部２８を通して便器レセプタクル３０に排便する。次に、使用者３６は、パネルに収納されている保護仕切り板７８を取り出し、便器１４に取り付ける。次いで、使用者３６は、ビデシャワー２２を手３４で掴み、凹部３８を通して便座１８の下に通す。次いで、使用者３６は、便器１４の前部に位置する冷水及び温水蛇口７６を作動させ、それにより水がヘッド２６から流れ、使用者３６は、水の噴霧を臀部内側及び肛門に向ける。有利には、保護仕切り板７８は、水の噴霧、並びに便器レセプタクル３０からの水及び排泄物の跳ねから使用者３６のプライベートゾーンを少なくとも部分的に保護する。次に、使用者３６は、ビデシャワー２２のヘッド２６を基部１２の後部、且つ便座カバー２０の第１の回転軸の後方に再び置く。次に、当技術分野でよく知られているように、使用者３６は、洗浄した身体部位を乾燥させる。任意選択で、使用者３６は保護仕切り板７８を取り外して掃除し、凹部区室６６に収納することができる。最後に、使用者は、便座カバー２０を閉位置にする。
【００３５】
[38]  本発明について、構造的特徴に特有の用語でかなり詳細に述べてきたが、添付の特許請求の範囲で定義された本発明が、上述した具体的な特徴に必ずしも限定されないことを理解すべきである。それらの具体的な特徴は、特許請求される本発明を実施する例示的な好ましい形態として開示されている。別の言い方をすれば、本明細書及び要約書で採用される表現及び専門用語は、説明の目的のものであり、限定と見なすべきではないことを理解すべきである。したがって、本発明の例示的実施形態を述べてきたが、多くの変形形態及び代替実施形態が当業者には想起されよう。本発明の精神及び範囲から逸脱することなく、そのような変形形態及び代替実施形態が企図され、それらを実現することができる。
【００３６】
[39]  さらに、本開示全体を通して、左、右、前、後、上部、底部、前方、後方、時計回り、反時計回り、上、下などの標示、又は上方、下方、後、前、鉛直、水平、斜め、近位、遠位、平行、垂直、横方向、長手方向などの他の同様の用語は、便宜上使用されているに過ぎず、特定の固定された方向又は向きを示唆するものではないことにも留意すべきである。そうではなく、それらの用語は、物体の様々な部分間の相対的な位置及び／又は方向／向きを表すために使用されている。
【００３７】
[40]  さらに、本開示を通して（特に特許請求の範囲において）、「第１の」、「第２の」、「第３の」、以下同様の部材は、連続的又は数値的な限定を示すために使用されるのではなく、そのグループの様々な部材を区別又は識別するために使用される。
【手続補正２】
【補正対象書類名】特許請求の範囲
【補正対象項目名】全文
【補正方法】変更
【補正の内容】
【特許請求の範囲】
【請求項１】
基部と、
タンクと、
前記基部に取り付けられた細長い便器であって、開口部を規定する細長い便器と、
第１の閉位置と第１の開位置との間で枢動するように構成された、前記基部又は前記細長い便器に枢動可能に接続された便座であって、前記第１の閉位置が、前記細長い便器上に前記便座が載置しているときに定められる、便座と、
第２の閉位置と第２の開位置との間で枢動するように構成された、前記基部又は前記タンクに枢動可能に接続された便座カバーと、
前記便座の後部に形成された凹部であって、前記凹部は、移動可能なビデシャワーを受け取るように構成され、前記移動可能なビデシャワーがホース及びシャワーヘッドを備える、凹部と、
前記便座又は前記細長い便器に着脱可能に取り付けられるように構成された保護仕切り板であって、前記保護仕切り板が、前記開口部で下方に延び、それにより前記シャワーヘッドが前記細長い便器の前記開口部の外側に噴霧するのを防止する、保護仕切り板と、を備えるトイレ。
【請求項２】
前記便座が、前記便座の後部から延び、前記凹部を規定する第１の接続アーム及び第２の接続アームを含む、請求項１に記載のトイレ。
【請求項３】
前記タンクが、前記第１の接続アーム及び前記第２の接続アームをそれぞれ枢動可能に受け取るように構成された左側リブ及び右側リブを含み、それにより前記便座が前記第１の回転軸で枢動するように構成された、請求項２に記載のトイレ。
【請求項４】
前記便座カバーが、第２の回転軸で枢動可能に前記左側及び右側リブに接続するように構成され、前記第２の回転軸が前記第１の回転軸の上方にある、請求項３に記載のトイレ。
【請求項５】
前記便座カバーは、前記便座及び前記便座カバーがそれぞれ第１の閉位置及び第２の閉位置にあるときに前記シャワーヘッドの少なくとも一部を隠すように構成された、請求項１に記載のトイレ。
【請求項６】
（削除）
【請求項７】
使用していないときに前記保護仕切り板を収納するように構成された収納区室をさらに備える、請求項１に記載のトイレ。
【請求項８】
前記基部と前記細長い便器とが一体的に形成された、請求項１に記載のトイレ。
【請求項９】
前記タンクが、貯水槽、カバー、及び前記カバーと前記貯水槽との間に規定される通路を含み、前記通路は、前記ホースが自由に摺動するのを可能にする、請求項１に記載のトイレ。
【請求項１０】
前記細長い便器又は前記タンクに接続された蛇口をさらに備え、前記ビデシャワーが前記蛇口に接続される、請求項１に記載のトイレ。
【請求項１１】
前記後部は、使用者が手でビデシャワーを保持して操作できるようにする、請求項１に記載のトイレ。
【請求項１２】
前記細長い便器の前部に位置し、前記ビデシャワーに接続された２つの蛇口をさらに備え、一方の蛇口が、前記ビデシャワーの温水の流れを制御し、他方の蛇口が、前記ビデシャワーの冷水の流れを制御する、請求項１に記載のトイレ。
【国際調査報告】
2021526604.tif 000008
2021526604.tif 000009
2021526604.tif 000010